【手続補正書】
【提出日】平成16年1月28日(2004.1.28)
【手続補正１】
【補正対象書類名】明細書
【補正対象項目名】特許請求の範囲
【補正方法】変更
【補正の内容】
【特許請求の範囲】
【請求項１】
無線基地局の有する時多重で動作する変復調処理手段へのベースバンド受信信号の復調処理のためのチャネルの割当と、送信データ信号の変調処理のためのチャネルの割当のためのチャネル割当制御方法において、
上記ベースバンド受信信号の復調処理ためのチャネルの割当は、
上記無線基地局に設けられた複数のアンテナで受信された複数の搬送波周波数帯域の受信信号を無線部において複数のベースバンドの受信信号へ変換し、
上記複数のベースバンドの受信信号をバッファメモリに格納し、
上記バッファメモリから上記変復調処理手段へ上記複数のベースバンド受信信号の復調処理のためのチャネルを割当てることにより行い、
上記ベースバンド受信信号の復調処理のためのチャネルの割当と上記送信データ信号の変調処理のためのチャネルの割当とは、
制御部が上記変復調処理手段の負荷状況を調べ、
上記変復調処理手段に負荷の余裕が見つかった場合には、
上記変復調処理手段にチャネル割当を実行することを特徴とするチャネル割当制御方法。
【請求項２】
無線基地局の有する時多重で動作する複数の変復調処理手段へのベースバンド受信信号の復調処理のためのチャネルの割当と、送信データ信号の変調処理のためのチャネルの割当のためのチャネル割当制御方法において、
上記ベースバンド受信信号の復調処理のためのチャネルの割当は、
上記無線基地局に設けられた複数のアンテナで受信された複数の搬送波周波数帯域の受信信号を無線部において複数のベースバンドの受信信号へ変換し、
上記複数のベースバンドの受信信号をバッファメモリに格納し、
上記バッファメモリから上記複数の変復調処理手段へ上記複数のベースバンド受信信号の復調処理のためのチャネルを割当てることにより行い、
上記ベースバンド受信信号の復調処理のためのチャネルの割当と上記送信データ信号の変調処理のためチャネルの割当とは、
制御部が上記複数の変復調処理手段の負荷状況を調べ、
上記複数の変復調処理手段のうち負荷に余裕のある変復調処理手段が見つかった場合には、
上記負荷に余裕のある変復調処理手段のいずれかにチャネル割当を実行することを特徴とするチャネル割当制御方法。
【請求項３】
無線基地局の有する時多重で動作する演算周期の同じ複数の演算手段毎にブロック化された複数の演算手段ブロックを有する変復調処理手段へのベースバンド
受信信号の復調処理のためのチャネルの割当と、送信データ信号の変調処理のためチャネルの割当のためのチャネル割当制御方法において、
上記ベースバンド受信信号の復調処理のためのチャネルの割当は、
上記無線基地局に設けられた複数のアンテナで受信された複数の搬送波周波数帯域の受信信号を無線部において複数のベースバンドの受信信号へ変換し、
上記複数のベースバンドの受信信号をバッファメモリに格納し、
上記バッファメモリから上記変復調処理手段へ上記複数のベースバンド受信信号の復調処理のためのチャネルを割当てることにより行い、
上記ベースバンド受信信号の復調処理のためのチャネルの割当と上記送信データ信号の変調処理のためのチャネルの割当とは、
制御部が上記複数の演算手段の負荷状況を調べ上記複数の演算手段のうち負荷に余裕のある演算手段が見つかった場合には、
上記負荷に余裕のある演算手段のいずれかにチャネル割当を実行することを特徴とするチャネル割当制御方法。
【請求項４】
請求項２記載のチャネル割当制御方法において、
上記複数の変復調処理手段へのチャネル割当は、
上記負荷に余裕のある変復調処理手段のうちより負荷の高いものにチャネルの割当を実行することを特徴とするチャネル割当制御方法。
【請求項５】
請求項２記載のチャネル割当制御方法において、
上記複数の変復調処理手段へのチャネル割当は、
上記負荷に余裕のある変復調処理手段のうちより負荷の低いものにチャネルの割当を実行することを特徴とするチャネル割当制御方法。
【請求項６】
無線基地局の第一のアンテナが管轄する第一のセクタから第二のアンテナが管轄する第二のセクタへとセクタ間移動する無線移動局のハンドオーバーのためのチャネル割当制御方法において、
上記第一のアンテナで受信された第一の受信信号を復調処理するための第一のチャネルと
上記第二のアンテナで受信された第二の受信信号を復調処理するために割当てる第二のチャネルとを同一の復調処理手段に割当てることを特徴とするチャネル割当制御方法。
【請求項７】
請求項６記載のチャネル割当制御方法において、
ハンドオーバーの実行を開始する際に、
既に上記第一のチャネルが割当てられている復調処理手段に新たに第二のチャネルを割当てることができない場合には、
無線基地局の有する複数の復調処理手段へのチャネルの割当を変更することにより第一のチャネルと第二のチャネルとを同一の復調処理手段に割当てることを特徴とするチャネル割当方法。
【請求項８】
無線基地局の第一のアンテナで受信された無線移動局の第一の周波数の信号を復調処理するための第一のチャネルと上記無線基地局の第二のアンテナで受信された上記無線移動局の第二の周波数の信号を復調処理するために割当てる第二のチャネルとを上記無線基地局の有する同一の復調処理手段に割当てることを特徴とするチャネル割当制御方法。
【請求項９】
請求項８記載のチャネル割当制御方法において、
既に上記第一のチャネルが割当てられている上記無線基地局の有する復調処理手段に新たに第二のチャネルを割当てることができない場合には、
上記無線基地局の有する複数の復調処理手段へのチャネルの割当を変更することにより第一のチャネルと第二のチャネルとを同一の復調処理手段に割当てることを特徴とするチャネル割当方法。
【請求項１０】
複数のチャネルにより信号を受信する無線通信装置であって、
複数のアンテナと、
該複数のアンテナで受信された複数の搬送周波数帯域の受信信号を複数のベースバンド受信信号に変換する無線部と、
上記複数のベースバンド受信信号を格納するバッファメモリと、
時多重で動作し、上記ベースバンド受信信号の復調を行う複数の復調処理部および上記バッファメモリに格納された上記複数のベースバンド受信信号の該複数の復調処理部へのチャネル割り当て処理を行う制御部を含むベースバンド処理部とを有し、
上記制御部は、上記複数の復調処理部の負荷状況を検出し、上記複数の復調処理部のうち負荷に余裕のある復調処理部が見つかった場合には、上記負荷に余裕のある復調処理部のいずれかにチャネル割当を行うことを特徴とする無線通信装置。
【請求項１１】
請求項１０記載の無線通信装置であって、上記複数の復調処理部へのチャネル割当は、上記負荷に余裕のある復調処理部のうちより負荷の低いものにチャネル割当を行うものであることを特徴とする無線通信装置。
【請求項１２】
複数のチャネルにより信号を受信する無線基地局であって、
第１のアンテナ及び第２のアンテナと、
該複数のアンテナで受信された複数の搬送周波数帯域の受信信号を複数のベースバンド受信信号に変換する無線部と、
上記複数のベースバンド受信信号を格納するバッファメモリと、
時多重で動作し、上記ベースバンド受信信号の復調を行う複数の復調処理部および上記バッファメモリに格納された上記複数のベースバンド受信信号の該複数の復調処理部へのチャネル割り当て処理を行う制御部を含むベースバンド処理部とを有し、
上記制御部は、上記第１のアンテナが管轄する第１のセクタから上記第２のアンテナが管轄する第２のセクタへとセクタ間移動する無線移動局のハンドオーバーを行う際に、上記第１のアンテナで受信された上記無線移動局からの第１の受信信号を復調処理するための第１のチャネルと
上記第２のアンテナで受信された上記無線移動局からの第２の受信信号を復調処理するために割当てる第２のチャネルとを同一の復調処理手段に割当てることを特徴とする無線基地局。